(57)【要約】【課題】  スクリューと該ギヤとをホッパーに対し着脱自在に取り付けることにより、部品点数を減らし、構造をシンプルにするとともに手入れを容易にすることができる飲料用粉茶等排出器を提供すること。【解決手段】  本体ケースと、粉茶等を入れるためのホッパーと、該ホッパーの下方に設けられ粉茶等を送り出すためのスクリューと、該スクリュー端部に一体に取り付けられるギヤと、該ギヤを介して前記スクリューを回動する駆動手段と、前記スクリューにより送り出された粉茶等を排出する給茶口とを有する飲料用粉茶等排出器において、前記本体ケースに対し前記ホッパーを着脱自在にするとともに、前記スクリューと前記ギヤとを前記ホッパーに着脱自在に取り付ける飲料用粉茶等排出器。【選択図】        図２
2005245581.tif 000002
【特許請求の範囲】
【請求項１】
本体ケースと、粉茶等を入れるためのホッパーと、該ホッパーの下方に設けられ粉茶等を送り出すためのスクリューと、該スクリュー端部に一体に取り付けられるギヤと、該ギヤを介して前記スクリューを回動する駆動手段と、前記スクリューにより送り出された粉茶等を排出する給茶口とを有する飲料用粉茶等排出器において、前記本体ケースに対し前記ホッパーを着脱自在にするとともに、前記スクリューと前記ギヤとを前記ホッパーに着脱自在に取り付けることを特徴とする飲料用粉茶等排出器。
【請求項２】
前記スクリューと前記ギヤとは一体成形されることを特徴とする請求項１記載の飲料用粉茶等排出器。
【請求項３】
前記スクリューと前記ギヤとの間に分割可能な軸受を介在させることを特徴とする請求項１、２記載の飲料用粉茶等排出器。
【請求項４】
前記軸受は、前記ホッパーの下方に前記スクリューと一体に取り付けられることを特徴とする請求項３記載の飲料用粉茶等排出器。
【請求項５】
前記軸受は、前記スクリューの回転方向と同じ方向に締め付けて固定することを特徴とする請求項３、４記載の飲料用粉茶等排出器。
【請求項６】
前記スクリューと前記ギヤとの間には、前記スクリューの回転方向と同じ方向の螺旋状の凹凸を設けることを特徴とする請求項１ないし５記載の飲料用粉茶等排出器。
【発明の詳細な説明】
【技術分野】
【０００１】
本願発明は飲料用粉茶等排出器に関し、特にスクリュー及びギヤ等をユニット化してなる飲料用粉茶等排出器に関するものである。
【背景技術】
【０００２】
近時、粉茶、コーヒー或いはココア等を所定の量だけコップ内に排出する飲料用粉茶等排出器が業務用は勿論のこと、一般家庭でも利用されるようになっている。
【０００３】
図１２にそのような飲料用粉茶等排出器の一例を示す。この飲料用粉茶等排出器ａは、ホッパーｂ、粉茶等の供給用スクリューｃ、該スクリューｃを減速ギヤｅを介して回動するためのモータｄ、前記スクリューｃの左側端部に開閉自在に設けられ、粉茶等の供給時に開放され粉茶等を給茶口ｇに送るための蓋部材ｆとを備える。
【０００４】
そして、予め粉茶等をホッパーｂ内に入れ所定のスイッチを押すと蓋部材ｆが開放されるとともに、モータｄが回動され、その回動は減速ギヤｅ、減速ギヤｅの軸ｊ、該軸ｊの先端に取り付けられるピンｋ、スクリューｃの右側端部に取り付けられる係止片ｉ、スクリューｃの右側端部の軸ｈを介してスクリューｃに伝達され、ホッパーｂ内に入れられた粉茶等は、押し出され給茶口ｇから図示しないコップ等に排出される。このように飲料用粉茶等排出器ａは、簡単にお茶等を作ることができる利便性に優れたものである（特許文献１参照。）。
【０００５】
ところで、上記従来の飲料用粉茶等排出器ａは、スクリューｃと減速ギヤｅとの係合は、スクリューｃの軸ｈの先端に取り付けられる係止片ｉと、減速ギヤｅの軸ｊの先端に取り付けられるピンｋとの係合により、モータｄの回転をスクリューｃに伝えていた。そのため、減速ギヤｅに軸ｊを設けるとともに、該軸ｊの先端に取り付けられるピンｋを設けなければならず、それだけ部品点数が増大し、生産コストを押し上げていた。
【０００６】
また、上記従来の飲料用粉茶等排出器ａは、上記したような係合手段を採用しているため、スクリューｃを洗浄等のため取り外す場合、スクリューｃを上方向へ持ち上げて取り外そうとしても係止片ｉとピンｋとの係合が外れないため、どうしてもその取り外しは、図でＸで示す領域の部分を一体化し、一体化した部分をまず矢印１で示す反時計方向に回動し、次いで矢印２で示す左側水平方向に引き出し、矢印３で示す上方向に持ち上げて取り外さざるを得ない。
【０００７】
このように、従来の飲料用粉茶等排出器ａは、スクリューｃと減速ギヤｅとの係合が、スクリューｃの軸ｈの先端に取り付けられる係止片ｉと、減速ギヤｅの軸ｊの先端に取り付けられるピンｋとで行われるものでは上記したような矢印１〜矢印３に従ってスクリューｃを取り外さなければならず、装置が複雑且つ大型化し、やはり生産コストを押し上げていた。
【特許文献１】特開平９−１８７２２３号公報
【発明の開示】
【発明が解決しようとする課題】
【０００８】
本願発明の目的は、飲料用粉茶等排出器の前記した問題を解決するもので、詳細には、従来の減速ギヤとスクリューとの係合をギヤにし、スクリューと該ギヤとをホッパーに対し着脱自在に取り付けることにより、部品点数を減らし、構造をシンプルにするとともに手入れを容易にすることができる飲料用粉茶等排出器を提供することである。
【課題を解決するための手段】
【０００９】
上記目的を達成するため、本願発明は以下の構成を採用する。
【００１０】
請求項１に係る発明では、本体ケースと、粉茶等を入れるためのホッパーと、該ホッパーの下方に設けられ粉茶等を送り出すためのスクリューと、該スクリュー端部に一体に取り付けられるギヤと、該ギヤを介して前記スクリューを回動する駆動手段と、前記スクリューにより送り出された粉茶等を排出する給茶口とを有する飲料用粉茶等排出器において、前記本体ケースに対し前記ホッパーを着脱自在にするとともに、前記スクリューと前記ギヤとを前記ホッパーに着脱自在に取り付ける構成。
【００１１】
そしてこのような構成により、モータにより駆動される従来の減速ギヤとの係合をスクリューに取り付けるギヤによって行うことができるため、減速ギヤに軸及びピンを設ける必要がなくなり、それだけ部品点数が少なくなる。また、ホッパーとともにスクリューとギヤとを本体ケースから容易に取り出すことができ、更に取り出した後、ホッパーからスクリューとギヤとを取り外すことができるため、全体の構造がシンプルになり、且つ、手入れが容易になる。
【００１２】
請求項２に係る発明では、前記スクリューと前記ギヤとは一体成形される構成。そしてこのような構成により、部品点数がより低減する。
【００１３】
請求項３に係る発明では、前記スクリューと前記ギヤとの間に分割可能な軸受を介在させる構成。そしてこのような構成により、軸受の手入れがより容易になる。
【００１４】
請求項４に係る発明では、前記軸受は、前記ホッパーの下方に前記スクリューと一体に取り付けられる構成。そしてこのような構成により、軸受とともにスクリューとギヤとをホッパーから取り外すことができるため、全体の構造がよりシンプルになり、且つ、手入れがより容易になる。
【００１５】
請求項５に係る発明では、前記軸受は、前記スクリューの回転方向と同じ方向に締め付けて固定する構成。そしてこのような構成により、軸受の固定後のゆるみが防止される。
【００１６】
請求項６に係る発明では、前記スクリューと前記ギヤとの間には、前記スクリューの回転方向と同じ方向の螺旋状の凹凸を設ける構成。そしてこのような構成により、軸受内面に近接して対向するスクリュー軸の表面積が少なくなり、それだけ粉茶等の噛み込みが低減し、スクリューを回動するモータの負荷が低減する。
【００１７】
また、凹凸の傾斜方向は羽根の螺旋方向と同じ方向であるため、スクリュー軸内に侵入しようとする粉茶等は、侵入方向とは反対方向に押し戻されるため、更にモータの負荷が低減される。
【発明の効果】
【００１８】
請求項１に係る発明では、本体ケースに対しホッパーを着脱自在にするとともに、スクリューとギヤとをホッパーに着脱自在に取り付けることにより、従来の減速ギヤに軸及びピンを設けるものに比べ、それだけ部品点数が少なくなり生産コストを低減することができる。また、ホッパーからスクリューとギヤとを簡単に取り外すことができるため、手入れを容易に行うことができる。その結果、飲料用粉茶等排出器の利便性を向上させることができる。
【００１９】
請求項２に係る発明では、スクリューとギヤとを一体成形することにより、請求項１に係る発明の効果に加え、部品点数をより低減することができるためそれだけ生産コストを低減することができる。
【００２０】
請求項３に係る発明では、スクリューとギヤとの間に分割可能な軸受を介在させることにより、請求項１、２に係る発明の効果に加え、回転部である軸受の手入れをより確実に行うことができ、飲料用粉茶等排出器の寿命を高めることができる。
【００２１】
請求項４に係る発明では、軸受をホッパーの下方にスクリューと一体に取り付けることにより、請求項３に係る発明の効果に加え、軸受とともにスクリューとギヤとをホッパーから取り外すことができるとともに、全体の構造をよりシンプルにすることができる。また、取り外し及び組み付けを容易に行うことができ、且つ手入れをより容易に行うことができるため、飲料用粉茶等排出器の利便性をより向上させることができる。
【００２２】
請求項５に係る発明では、軸受をスクリューの回転方向と同じ方向に締め付けて固定することにより、請求項３、４に係る発明の効果に加え、軸受のゆるみを防止することができ、飲料用粉茶等排出器の信頼性を向上させることができる。
【００２３】
請求項６に係る発明では、スクリューとギヤとの間にスクリューの回転方向と同じ方向に螺旋状の凹凸を設けることにより、請求項１ないし５に係る発明の効果に加え、軸受内面に近接して対向するスクリュー軸の表面積が少なくなる分、スクリュー軸での噛み込みを低減することができ、それだけスクリューを回動するモータの負荷を低減することができる。
【００２４】
また、スクリュー軸内に侵入しようとする粉茶等は、押し戻されるため、更にモータの負荷を低減することができ大いに省エネを図ることができる。
【実施例１】
【００２５】
図１に飲料用粉茶等排出器の正面図を、図２に図１のＡ−Ａ線断面図を、図３に斜め上方から見た本体ケースの斜視図を、図４に斜め下方から見た下口部材の斜視図を、図５に斜め上方から見たホッパーユニットの斜視図をそれぞれ示す。なお、本願の飲料用粉茶等排出器は、それ単体のものでもよいが、以下においては電気ポットと一体に形成したものを示す。また、その方向を、図１で見てその左右方向側をそれぞれ左方向及び右方向と呼び、図１の紙面の前方側を前方と呼びその反対の後方側を後方と呼ぶ。
【００２６】
本機器は、図１で示すように飲料用粉茶等排出器１と電気ポット２とを一体に形成したもので、Ｘの領域は飲料用粉茶等排出器１を示し、Ｙの領域は電気ポット２を示す。そして、飲料用粉茶等排出器１及び電気ポット２とも大きく分けて本体ケース３と下口部材４とからなるとともに、両部材３、４もそれぞれ一体に形成される。
【００２７】
前記本体ケース３は、図３に示すように、上方が開口した樹脂製の部材であり、電気ポット領域Ｙには、図示しない真空二重構造等からなる内容器並びにヒータ等が挿入配置されるとともに、その前方側には窪み５及び水量視認用窓６が形成され、その上方には給湯口８が取り付けられる前方突出部７が形成される。
【００２８】
本体ケース３の前記排出器領域Ｘには、後記のホッパーユニット３０が挿入配置されるとともに、その前方側下方は大きく窪んだコップ載置用空間９が形成され、そのコップ載置用空間９の上方には広口の給茶口取付開口３ａが設けられる。該広口の給茶口取付開口３ａの周囲には段部３ｂが形成され、更に段部３ｂの内側には給茶口取付開口３ａに沿って上方へ突出される立設壁３ｃが形成されており、給茶口取付開口３ａに後記の給茶口６０が着脱自在に取り付けられる。
【００２９】
前記下口部材４は、前記本体ケース３の上方に載置される樹脂製部材であり、その下方から見た形状を図４に示す。図に示すように、電気ポット領域Ｙには、図示しない内容器が取り付けられる環状部材１０及び前方突出部１１が形成され、下口部材４が本体ケース３に嵌合された際には、該前方突出部１１は本体ケース３に形成される前方突出部７と一体的に重ね合わされる。
【００３０】
また、排出器領域Ｘには、後記のホッパーユニット３０が挿入配置される箱状部材１２が上方より下方に垂下される形態で下口部材４と一体に形成される。該箱状部材１２は、上方が開口し、平面視矩形状の部材でその底壁にはギヤ係合口１３が開口するとともに、複数個のビス取付用ボス１４が一体に形成される。更に、前方側の側壁の下部には側壁から底壁に亘って切り取られてなる所定の高さを有するスクリュー用窓１５が形成されており、箱状部材１２内に後記のホッパーユニット３０が挿入配置されるとホッパーユニット３０の下部に取り付けられるスクリュー４０の先端がこのスクリュー用窓１５から顔を出す形態で位置する。
【００３１】
そして、前記箱状部材１２の底部に一体に形成される前記ビス取付用ボス１４には、図２に示すように略Ｌ字状の金属製の取付部材１６の一辺１６ａがビス１７により取り付けられる。取付部材１６の他の辺１６ｂには、後記のスクリュー４０を回動する駆動手段であるモータ１８が取り付けられ、該モータ１８の駆動軸１９は、取付部材１６の他の辺１６ｂの反対側まで延伸されるとともに、その延伸先端部には円形の駆動ギヤ２０が取り付けられる。
【００３２】
箱状部材１２の底部に取付部材１６が取り付けられた状態では、前記駆動ギヤ２０の上端は、前記箱状部材１２の底部に一体に形成されるギヤ係合口１３内に侵入し、箱状部材１２内に後記のホッパーユニット３０が挿入された際には、スクリュー４０の先端に取り付けられる被駆動ギヤ４３が該駆動ギヤ２０に直接係合する。
【００３３】
符号３０は、前記箱状部材１２内に着脱自在に収納配置されるホッパーユニットであり、該ホッパーユニット３０は、図５に示すように上方のホッパー部３１と下方のスクリュー収納部３２と底部のスタンド３３とを有する、各部材を一体に成形してなる樹脂製部材である。
【００３４】
ホッパー部３１は、上方に矩形状の開口３４を有し、その下方は絞られ断面テーパー状を呈し、その開口３４の外周側面には外方へ水平に張り出した鍔３５が全周に亘って形成されている。該鍔３５の内、前方側の鍔３５ａは幅広とされその一部に下方に凹んだ凹部３６が形成されており、ホッパーユニット３０を前記箱状部材１２内に収納したり取り出す時には、凹部３６に指を入れこの凹部３６とホッパー部３１の上端とを指で掴んで持ち上げることにより行う。
【００３５】
前記スクリュー収納部３２は、ホッパー部３１の下端部に一体に形成される部材であり、その上方には図２にその横断面を示すように平面視細長い矩形状の開口部３７を介してホッパー部３１と連通しており、ホッパー部３１内に入れられる粉茶等は該細長い矩形状の開口部３７を介してスクリュー収納部３２内に導入される。
【００３６】
また、スクリュー収納部３２は、断面円形の水平方向に細長い形状を呈し、その内部には図２に示すように螺旋状の右螺子形状からなる羽根４１を有するスクリュー４０が収納される。スクリュー収納部３２の図２において右側になる後方端４４には軸受７１が取り付けられスクリュー４０の後端部は該軸受７１に片持ち支持の形態で軸支される。軸受７１に軸支されるスクリュー４０の端部は更に後方に延設され、その延設端には被駆動ギヤ４３が取り付けられる。
【００３７】
スクリュー収納部３２の前方端４５には、開口部４６が形成され、該開口部４６にはスクリュー４０の先端部が位置している。また、図６に示すようにスクリュー収納部３２の前方端４５の下端部４５ａは、若干上方へ傾斜しており、少ない量の粉茶等が排出されないようにされている。更に、スクリュー収納部３２の前方端４５には、該前方端４５の上方に取り付けられるヒンジ部４８を介して回動自在とされる蓋部材４７が配置される。該蓋部材４７には、上方に突き出る形態でレバー４９が一体に形成されている。
【００３８】
そして、該レバー４９を図２で破線で示す前記箱状部材１２の側壁外周部に取り付けられるソレノイド５０で押圧することにより、図２でＡで示す開放位置にレバー４９及び蓋部材４７をヒンジ部４８を介して回動させることにより開蓋し、その押圧が解除されると自重によりＢで示す閉鎖位置にレバー４９及び蓋部材４７が回動され閉蓋する。そして、飲料用粉茶等排出器１を作動させるための図示しないスイッチが入れられると、スクリュー４０が回動され、ソレノイド５０がレバー４９を押圧し、蓋部材４７を開放する。
【００３９】
また、前記ホッパー部３１内には、棒状のバネ材５１が基端収納部５２にその基端部を収納する形態で取り付けられるとともに、バネ材５１の２本の先端部５３、５３はそれぞれスクリュー４０の羽根４１間に当接される。そのため、スクリュー４０が回動すると該バネ材５１の２本の先端部５３、５３は羽根４１間に係合された状態で前方へ押されるため、バネ材５１は全体を湾曲しつつ前方側に移動される。そして、やがて羽根４１間との係合は解除され元の状態に復元され新たな羽根４１間に当接される。
【００４０】
このバネ材５１がないとホッパー部３１内に入れられた粉茶等は、その中央部が先に排出され外周部が残るという所謂アリ地獄形状になり易い。しかしながら、このようなバネ材５１を設けることにより、バネ材５１が揺動的な動作を繰り返し、バネ材５１の先端部５３、５３がホッパー部３１内の粉茶等をかき混ぜその全体を平坦化するため、そのような弊害が防止される。
【００４１】
前記スタンド３３は、横断面矩形状の水平な板体で、ホッパーユニット３０を下口部材４の箱状部材１２より取り出し、水平なテーブル等に置く場合の支持台として使われる。
【００４２】
ホッパーユニット３０を箱状部材１２内に収納すると、ホッパー部３１の上部外周側面に形成される鍔３５の下端面が箱状部材１２の上端部１２ａに係合する形態で支持され、それとともにスクリュー４０の後端部に取り付けられる被駆動ギヤ４３は、ギヤ係合口１３内にその上方先端が侵入して取り付けられる駆動ギヤ２０と係合する。この場合、前記スタンド３３の底面は箱状部材１２の上面より上方に離れた位置にある。
【００４３】
符号６０は給茶口であり、該給茶口６０は、粉茶等の排出口となるノズル部６１、該ノズル部６１を包囲する形態の袴部６２及びノズル部６１とは反対側に延設される内側環状部６３からなる樹脂製の部材である。
【００４４】
前記ノズル部６１は、内側環状部６３の下方に垂下する形態の筒状部材であり、上方から最下端の先端開口部６４に向かって絞られており、先端開口部６４から排出される粉茶等の周囲への飛散を極力低減する。
【００４５】
前記袴部６２は、ノズル部６１を包囲する形態で形成される筒状部材でノズル部６１との間には、断面Ｕ字形の凹嵌部６５が形成され、内環状部であるノズル部６１と外環状部である袴部６２とで内外二重環状構造を形成している。そして前記凹嵌部６５は、給茶口６０の着脱を行うときに指でノズル部６１を掴む空間部として利用される。
【００４６】
前記内側環状部６３は、給茶口６０が取り付けられた状態では、箱状部材１２の前方下端に設けられるスクリュー用窓１５を囲むように間をおいて位置するとともに、スクリュー収納部３２の前方端４５は該内側環状部６３に対向して位置する。
【００４７】
このように、内側環状部６３は、スクリュー４０の先端部に対向して配置されるため、スクリュー４０の先端部より押し出される粉茶等の飛び散りを防止する飛散防止壁としての機能を有する。
【００４８】
給茶口６０は、着脱自在とされ、本体ケース３のコップ載置用空間９の上方に形成される広口の給茶口取付開口３ａに対して、ノズル部６１を下にし、且つノズル部６１の外周を指で掴みながら下方から給茶口取付開口３ａの内側に形成される立設壁３ｃの内周面に沿って挿入することにより装着され、その逆の動作で取り外される。その結果、給茶口６０の手入れが容易になる。
【００４９】
次に、スクリュー収納部３２に収納されるスクリュー４０及び被駆動ギヤ４３と軸受７１との取り付けについて図６、図７で説明する。スクリュー４０は、前述したように螺旋状の右螺子形状からなる羽根４１を有する樹脂製部材であり、その右側端にはスクリュー軸７０を介して同じく樹脂製の被駆動ギヤ４３が一体に成形されている。なお、スクリュー４０と被駆動ギヤ４３とは一体に成形されたものとして説明するが、別体で成形し、ネジ締め等により一体化するものでもよい。
【００５０】
また、スクリュー収納部３２の後方端４４には軸受７１が取り付けられ、該軸受７１により前記スクリュー軸７０を軸支し、スクリュー４０を片持ち支持の形態で回動可能にされる。
【００５１】
軸受７１は、図７に示すように半割の形状で形成される樹脂製の同形部材であり、半円弧状の大径部７１ａ、７１ａ及び半円弧状の小径部７１ｂ、７１ｂを有する。大径部７１ａの直線部である合わせ面７１ｃ、７１ｃには、その一方の面７１ｃに嵌合ピン７２が設けられるとともに、その他方の面７１ｃには合ピン７２が嵌合可能な嵌合穴７３が形成される。
【００５２】
前記大径部７１ａ、７１ａの円弧部である周面上には、それぞれ対称な軸方向溝７４及び周方向溝７５からなる略Ｌ字状の溝が形成されるとともに、周方向溝７５の端部には更に凹部７６が形成される。また、スクリュー収納部３２の後方端４４の外周部には、先端に凸部７８を有し、前記周方向溝７５に係止可能な係合片７７が形成される。
【００５３】
スクリュー４０及び被駆動ギヤ４３と軸受７１との取り付けは次のように行われる。即ち、まずスクリュー軸７０を２分割された軸受７１の合わせ面７１ｃ、７１ｃを図７でイで示す方向に当接させることにより狭持する。その場合、一方の合わせ面７１ｃに設けられる嵌合ピン７２を他方の合わせ面７１ｃに形成される嵌合穴７３に嵌合させる。このような嵌合により、それぞれの軸受７１はずれることなく一体化される。
【００５４】
次いで、このようにユニット化されたスクリュー４０及び被駆動ギヤ４３と軸受７１とをスクリュー収納部３２内に収納する。その収納は、スクリュー４０の先端をスクリュー収納部３２の後方端４４から図でロで示す方向に挿入することにより行う。
【００５５】
収納は、大径部７１ａ、７１ａの円弧部に設けられる軸方向溝７４に、スクリュー収納部３２の外周部に設けられる係合片７７が嵌入することにより終了する。その後、軸受７１を図のハで示す右方向に回転し、大径部７１ａ、７１ａの円弧部に設けられる周方向溝７５内に係合片７７を嵌入する。すると、周方向溝７５内に形成される凹部７６内に係合片７７に設けられる凸部７８が嵌入し、軸受７１がスクリュー収納部３２に密に嵌合される。取り外す場合は、逆の順序で行うことになる。
【００５６】
このヘリコイド式嵌合方向は、スクリュー４０の羽根４１の螺旋方向と同じであるため、スクリュー４０の回動により軸受７１が緩み外れることはない。このような簡単な構造にすることにより生産コストを低減することができるとともに、スクリュー４０及び被駆動ギヤ４３と軸受７１とを簡単に取り外すことができその手入れが容易になる。また、軸受７１は２分割からなるが、軸受７１を成形する金型は同じものが使用できるためそれだけ金型投資が削減できる。
【００５７】
なお、この例では、スクリュー４０を軸受７１による片持ち支持のものとして説明したが、図１０に示すように、スクリュー収納部３２の前方端４５に支持部７９ａを有する軸受７９を設け、この軸受７９にスクリュー４０の先端を軸支し、両持ち支持にすることができる。このような構造にすることにより、回動時のスクリュー４０のブレが防止できる。
【００５８】
この排出器による粉茶等の排出について説明すると、ホッパー部３１内に粉茶等を入れ、図示しない駆動スイッチを入れると、ソレノイド５０が作動しレバー４９を押し蓋部材４７を開放するとともに、モータ１８が駆動され駆動ギヤ２０及び被駆動ギヤ４３を介してスクリュー４０を時計方向へ回動する。すると、粉茶等はスクリュー４０の先端部方向へ押し出され、その先端から給茶口６０のノズル部６１に落下し、ノズル部６１でその広がりを絞られその先端開口部６４からその下に載置されるコップ内に排出される。
【００５９】
そして、手入れ時には、ホッパーユニット３０を箱状部材１２から取り出し、ホッパーユニット３０のスクリュー収納部３２からユニット化されたスクリュー４０及び被駆動ギヤ４３と軸受７１とを取り外し、更に軸受７１を２つに分解してスクリュー４０及び被駆動ギヤ４３と軸受７１とを取り外し、それぞれを洗浄して逆の順序で組み立てることになる。
【実施例２】
【００６０】
図８に他の実施例を示す。この例のものは、軸受の取付手段の変形例に関するもので、要部のみを示しその他の構成は実施例１のものと同じであり、詳細な説明は省略する。
【００６１】
軸受８０は、図に示すように半割の形状で形成される樹脂製の同形部材であり、半円弧状の大径部８１、８１及び半円弧状の小径部８２、８２を有する。大径部８１の直線部である合わせ面８３、８３には、その一方の面８３に嵌合ピン８４が設けられるとともに、その他方の面８３には前記嵌合ピン８４が嵌合可能な嵌合穴８５が形成される。
【００６２】
また、小径部８２、８２の円弧部である周面上には、軸受８０が一体化されたとき１つのネジとなる右回りの雄ネジ８６、８６が形成される。そして、図示しないが、スクリュー収納部３２の後方端４４の内面には、雄ネジ８６が螺合可能な右回りの雌ネジが形成されている。
【００６３】
スクリュー４０及び被駆動ギヤ４３と軸受８０との取り付けは次のように行われる。即ち、まずスクリュー４０のスクリュー軸７０を２分割された軸受８０の合わせ面８３、８３を当接させることにより狭持する。その場合、一方の合わせ面８３に設けられる嵌合ピン８４を他方の合わせ面８３に形成される嵌合穴８５に嵌合させる。このような嵌合により、それぞれの軸受８０はずれることなく一体化される。
【００６４】
次いで、このようにユニット化されたスクリュー４０及び被駆動ギヤ４３と軸受８０とをスクリュー収納部３２内に収納する。その収納は、軸受８０の小径部８２の外周に形成される雄ネジ８６をスクリュー収納部３２の内面に形成される雌ネジに螺合させることにより行う。そして取り外す場合は、逆の順序で行うことになる。
【００６５】
このネジ式嵌合方向は、スクリュー４０の羽根４１の螺旋方向と同じであるため、スクリュー４０の回動により軸受８０が緩むことはない。このような簡単な構造にすることにより生産コストを低減することができるとともに、スクリュー４０及び被駆動ギヤ４３と軸受８０とを簡単に取り外すことができその手入れが容易になる。またこの例のものにおいても軸受８０を成形する金型は同じものが使用できるためそれだけ金型投資が削減できる。
【実施例３】
【００６６】
図９に他の実施例を示す。この例のものは、スクリュー軸７０に螺旋状の凹凸を設け、モータの負荷を低減し、更に粉茶等の侵入を防止するものであり、要部のみを示しその他の構成は実施例１のものと同じであり、詳細な説明は省略する。
【００６７】
スクリュー４０は、螺旋状の右螺子形状からなる羽根４１を有する樹脂製部材であり、スクリュー収納部３２に収納され、その右側端にはスクリュー軸７０を介して同じく樹脂製の被駆動ギヤ４３が一体に成形されている。
【００６８】
また、スクリュー収納部３２の後方端４４には軸受７１が取り付けられ、該軸受７１により前記スクリュー軸７０が軸支され、スクリュー４０を片持ち支持の形態で回動可能にされる。
【００６９】
スクリュー軸７０には、スクリュー４０の羽根４１の螺旋方向と同じ方向の螺旋状の凹凸７０ａが形成される。このようにスクリュー軸７０に凹凸７０ａを設けることにより、軸受７１内面に近接して対向するスクリュー軸７０の表面積が少なくなるため、それだけ粉茶等の噛み込みが低減し、スクリュー４０を回動するモータ１８の負荷が低減される。
【００７０】
また、凹凸７０ａの傾斜方向は羽根４１の螺旋方向と同じ方向であるため、スクリュー軸７０内に侵入しようとする粉茶等は、矢印Ｓで示すように侵入方向とは反対方向に押し戻される。そのため、更にモータ１８の負荷が低減される。
【実施例４】
【００７１】
図１１に他の実施例を示す。この例のものは、駆動ギヤ及び被駆動ギヤを傘歯車とし、且つ、箱状部材の底部に設けられるギヤ係合口を軸シールパッキンで閉蓋するものであり、要部のみを示しその他の構成は実施例１のものと同じであり、詳細な説明は省略する。
【００７２】
即ち、まず、スクリュー４０の後端に取り付けられる被駆動ギヤ４３を平歯車から傘歯車に変更し、モータ１８の駆動軸１９に取り付けられる駆動ギヤ２０を平歯車から傘歯車に変更する。次いで、モータ１８の駆動軸１９をその一部を箱状部材１２の底部に設けられるギヤ係合口１３から箱状部材１２内に侵入する形態で垂直方向に配置し、その下方端にモータ１８を連結するとともに、その上方端に駆動ギヤ２０としての傘歯車を取り付ける。
【００７３】
そして、ギヤ係合口１３と駆動軸１９との間に軸シールパッキン１３ａを介在させ、ギヤ係合口１３をシールする。その後、ホッパーユニット３０を箱状部材１２内に収納するとともに、スクリュー４０に取り付けられる被駆動ギヤ４３としての傘歯車を箱状部材１２内に配置される駆動ギヤ２０としての傘歯車に図に示すようにそれぞれの軸線が直交する形態で咬合させる。
【００７４】
このような形態とすることにより、ギヤ係合口１３はシールされるため、ホッパーユニット３０を箱状部材１２内に収納する際、例え、ホッパー３１の周囲に粉茶等の異物が付着していたとしても、異物がギヤ係合口１３より本体ケース３内に侵入し、モータ１８等に付着し、モータ１８等が故障するような弊害を未然に防止することができる。
【００７５】
本願発明は、上記各実施の態様の構成に限定されるものではなく、発明の要旨を逸脱しない範囲において適宜設計変更可能であることは勿論である。
【図面の簡単な説明】
【００７６】
【図１】本願発明の飲料用粉茶等排出器の正面図
【図２】図１のＡ−Ａ断面図
【図３】本願発明の本体ケースを斜め上方から見た斜視図
【図４】本願発明の下口部材を斜め下方から見た斜視図
【図５】本願発明のホッパーユニットを斜め上方から見た斜視図
【図６】本願発明のスクリュー、ギヤ、軸受を示す拡大断面図
【図７】本願発明の半割状態の軸受を示す斜視図
【図８】本願発明の他の軸受を示す斜視図
【図９】本願発明のスクリュー軸の変形例を示す断面図
【図１０】本願発明のスクリューの他の一端の支持状態を示す概略斜視図
【図１１】本願発明の他のスクリュー回動機構を示す拡大断面図
【図１２】従来の飲料用粉茶等排出器の概略図
【符号の説明】
【００７７】
１…飲料用粉茶等排出器    ２…電気ポット
３…本体ケース            ３ａ…給茶口取付開口
３ｂ…段部                ３ｃ…立設壁
４…下口部材              ５…窪み
６…水量視認用窓          ７，１１…前方突出部
８…給湯口                ９…コップ載置用空間
１０…環状部材            １２…箱状部材
１３…ギヤ係合口          １４…ビス取付用ボス
１５…スクリュー用窓      １６…取付部材
１７…ビス                １８…モータ
１９…駆動軸              ２０…駆動ギヤ
３０…ホッパーユニット    ３１…ホッパー部
３２…スクリュー収納部    ３３…スタンド
３４…開口                ３５，３５ａ…鍔
３６，７６…凹部          ３７，４６…開口部
４０…スクリュー          ４１…羽根
４３…被駆動ギヤ          ４４…後方端
４５…前方端              ４７…蓋部材
４８…ヒンジ部            ４９…レバー
５０…ソレノイド          ５１…バネ材
５２…基端収納部          ５３…先端部
６０…給茶口              ６１…ノズル部
６２…袴部                ６３…内側環状部
６４…先端開口部          ６５…凹嵌部
７０…スクリュー軸        ７０ａ…凹凸
７１，７９，８０…軸受    ７１ａ，８１…大径部
７１ｂ，８２…小径部      ７１ｃ，８３…合わせ面
７２，８４…嵌合ピン      ７３，８５…嵌合穴
７４…軸方向溝            ７５…周方向溝
７７…係合片              ７８…凸部
７９ａ…支持部            ８６…雄ネジ
【図１】
2005245581.tif 000003
【図２】
2005245581.tif 000004
【図３】
2005245581.tif 000005
【図４】
2005245581.tif 000006
【図５】
2005245581.tif 000007
【図６】
2005245581.tif 000008
【図７】
2005245581.tif 000009
【図８】
2005245581.tif 000010
【図９】
2005245581.tif 000011
【図１０】
2005245581.tif 000012
【図１１】
2005245581.tif 000013
【図１２】
2005245581.tif 000014